(57)【特許請求の範囲】
【請求項１】
排泄物を受ける排泄物受け部と、前記排泄物受け部を排泄物受け位置と収納位置に移動させる駆動手段とを備え、前記駆動手段で前記排泄物受け部を前記排泄物受け位置から前記収納位置へ移動する際に前記排泄物受け部を下向きに回転させ排泄物を廃棄するようにしてなる排泄物受け装置。
【請求項２】
排泄物を受ける排泄物受け部と、前記排泄物受け部を排泄物受け位置と収納位置に移動させる駆動手段とを備え、前記駆動手段は前記排泄物受け部を前記排泄物受け位置から前記収納位置へ移動する際に前記排泄物受け部に振動を与えるとともに、前記排泄物受け部を下向きに回転させ排泄物を廃棄するようにしてなる排泄物受け装置。
【請求項３】
駆動手段は、伸縮しながら排泄物受け部を回転させる第１伸縮部と、伸縮しながら排泄物受け部を回転させない第２伸縮部とを有し、前記第２伸縮部により前記排泄物受け部を振動させて排泄物を落下させるようにしてなる請求項１または請求項２記載の排泄物受け装置。
【請求項４】
駆動手段は、排泄物受け部を排泄受け位置へ移動させる時に伸び、収納位置へ移動させる時に縮む伸縮機能と、排泄物を廃棄時に排泄物受け部を回転させる回転機能と、排泄物受け部に振動を与える振動機能とを有する請求項２記載の排泄物受け装置。
【請求項５】
駆動手段は、排泄物受け部と駆動手段の全体を回動させる回動手段を有し、前記回動手段により排泄物受け部を振動させて排泄物を落下させるようにしてなる請求項１〜４のいずれかに記載の排泄物受け装置。
【請求項６】
排泄物を受ける排泄物受け部と、前記排泄物受け部を排泄物受け位置と収納位置に移動させる駆動手段とを備え、前記駆動手段は前記排泄物受け部を前記排泄物受け位置から前記収納位置へ移動する際に前記排泄物受け部を振動させ排泄物を廃棄するようにしてなる排泄物受け装置。
【請求項７】
排泄物受け部を洗浄する洗浄手段を有してなる請求項１ないし６のいずれか１項記載の排泄物受け装置。
【発明の詳細な説明】
【０００１】
【発明の属する技術分野】
本発明は便座装置において健康状態を測定するために排泄物を受ける排泄物受け装置に関するものである。
【０００２】
【従来の技術】
近年、成人病予防、病気の早期発見ための様々な検査が家庭で行われるように提案されてきた。一方、家庭における便座装置またはトイレにおいてこの種の健康状態を検出する尿検査装置付きのものが多く提案され、改良が加えられてきた。その中で図４に示す特開平８−２６２０１２号公報に記載されているようなものがあった。
【０００３】
これは尿検査時に尿を採取するための採尿器を排尿位置に移動させるものの提案があり、図５において１０１は便器、１０２は便器１０１上に配した便座、１０３は便座１０２からスイングして便器１０１内の空間に出てくるアーム、１０４はアーム１０３の先端に設けた採尿器である。
【０００４】
通常、アーム１０３は採尿器１０４とともに便座１０２と便器１０１のリム１０５の間近傍に収納してある。そして採尿器１０４の入り口１０６が概略垂直になるようになっている。
【０００５】
次に、使用する時にはアーム１０３の軸１０７を中心にスイングして便器１０１空間内に下りてくる。このようにすることにより排尿位置に採尿器１０４を移動させて、かつ採尿器１０４の入り口１０６は上方を向くようにして尿をサンプリングするものである。
【０００６】
このようにして採尿する時は上向きで採尿しやすく、収納事には採尿器を傾けて尿を廃棄するようにしてある。
【０００７】
【発明が解決しようとする課題】
しかしながら、尿を廃棄する時には採尿器を概略垂直から水平の横に向けただけでは完全に破棄できず、尿が採尿器１０４に残ってしまうという課題があった。
【０００８】
また、便を排泄物受け部（尿の場合の採尿器に相当する。）で受けた後に同様の方法で廃棄しようとしても排泄物受け部を横に向けたままで便は廃棄できないという課題を有していた。
【０００９】
さらに、アーム１０３の軸１０７を中心に回転させるだけでは尿を受ける位置に適切に配することができても、収納の時には便器１０１のリム１０５に邪魔されずに収納することが難しかった。
【００１０】
【課題を解決するための手段】
本発明は上記課題を解決するために排泄物を受ける排泄物受け部と、前記排泄物受け部を排泄物受け位置と収納位置に移動させる駆動手段とを備え、前記駆動手段で前記排泄物受け部を前記排泄物受け位置から前記収納位置へ移動する際に前記排泄物受け部を下向きに回転させ排泄物を廃棄するようにしたものである。
【００１１】
上記発明によれば駆動手段で排泄物受け部を排泄物受け位置と収納位置に移動させるとともに、排泄物受け位置から収納位置に移動する際に排泄物受け部を下向きに回転させ、排泄物を落下させることができる。
【００１２】
【発明の実施の形態】
本発明は排泄物を受ける排泄物受け部と、前記排泄物受け部を排泄物受け位置と収納位置に移動させる駆動手段とを備え、前記駆動手段で前記排泄物受け部を前記排泄物受け位置から前記収納位置へ移動する際に前記排泄物受け部を下向きに回転させ排泄物を廃棄するようにしてある。
【００１３】
そして、排泄物受け部で排泄物を受け、駆動手段で排泄物受け部を排泄物受け位置から収納位置に移動させて、排泄物受け位置から収納位置に移動する際に排泄物受け部を下向きに回転させ排泄物を廃棄するものである。
【００１４】
また、排泄物を受ける排泄物受け部と、前記排泄物受け部を排泄物受け位置と収納位置に移動させる駆動手段とを備え、前記駆動手段は前記排泄物受け部を前記排泄物受け位置から前記収納位置へ移動する際に前記排泄物受け部に振動を与えるとともに、下向きに回転させ排泄物を廃棄するようにしてある。
【００１５】
そして、排泄物受け部は下向きに回転させられるだけでなく、振動も与えられ、受けた排泄物を確実に廃棄できる。
【００１６】
また、駆動手段は伸縮しながら排泄物受け部を回転させる第１伸縮部と、伸縮しながら排泄物受け部を回転させない第２伸縮部とを有し、前記第２伸縮部により排泄物受け部を振動させて排泄物を落下させるようにしてある。
【００１７】
また、駆動手段は、排泄物受け部を排泄受け位置へ移動させる時に伸び、収納位置へ移動させる時に縮む伸縮機能と、排泄物を廃棄時に排泄物受け部を回転させる回転機能と、排泄物受け部に振動を与える振動機能とを有するようにしてある。
【００１８】
また、駆動手段は、排泄物受け部と駆動手段の全体を回動させる回動手段を有し、前記回動手段により排泄物受け部を振動させて排泄物を落下させるようにしてある。
【００１９】
そして、排泄物受け部と駆動手段の全体を回動させて、収納場所の他の部品に当たらないように収納するようにしてある。
【００２０】
また、排泄物を受ける排泄物受け部と、前記排泄物受け部を排泄物受け位置と収納位置に移動させる駆動手段とを備え、前記駆動手段は前記排泄物受け部を前記排泄物受け位置から前記収納位置へ移動する際に前記排泄物受け部を振動させ排泄物を廃棄するようにしたものである。
【００２１】
そして、排泄物受け部は駆動手段により振動を与えられ排泄物を廃棄することができる。
【００２２】
さらに、排泄物受け部を洗浄する洗浄手段を有しているので、逆さに回転する、または振動の与えられる排泄物受け部を洗浄し確実な排泄物除去が可能である。
【００２３】
【実施例】
以下本発明の一実施例について図を用いて説明する。
【００２４】
（実施例１）
図１は本発明の一実施例の構成を示す概略図である。図１は上面断面図で、図２は側面から見た断面図である。以下図１と図２を用いて説明する。
【００２５】
図１において１は排泄物２を受ける排泄物受け部、３は排泄物受け部１を排泄物受け位置４（図中×印）と収納位置５（図中×印）に移動させる駆動手段である。駆動手段３は伸縮しながら排泄物受け部１を回転させる第１伸縮部６と、伸縮しながら排泄物受け部を回転させない第２伸縮部７，８とを有し、排泄物受け部１を支えている。ここで、第１伸縮部６はシリンダーＡ９とシリンダーＢ１０とで構成し、第２伸縮部７はシリンダーＢ１０とシリンダーＣ１１とで構成し、第２伸縮部８はシリンダーＣ１１と排泄物受け部１を支える排泄物受け支持部１２とで構成してある。
【００２６】
また、駆動手段３により排泄物受け部１を駆動する構成はモーター１３と、モーター軸１４に設けたギアＡ１５と、ギアＡ１５の回転を伝達するギアＢ１６と、ギアＢ１６と同軸に構成したギアＣ１７と、ギアＣ１７の回転を伝達するギアＤ１８とギアＤ１８の回転を伝達するギアＥ１９と、ギアＥ１９と同軸のギアＦ２０と、ギアＦ２０の回転を線上の動きに変換するラック２１とから成っている。そして、ラック２１は排泄物受け支持部１２と接続してある。
【００２７】
なお、ギアＢ１６とギアＣ１７は軸Ａ２２を中心に回転し、ギアＤ１８は軸Ｂ２３が回動ガイド２４に挿入してある。２５はギアＤ１８が動く時に軸Ｂ２３の動きを妨げないようにした逃げ穴で、軸Ｃ２６を中心とする円周上に沿ってあけてある。なお、軸Ｃ２６は動きの中心点を示しているもので構成部品ではない。また、ギアＥ１９とギアＦ２０は軸Ｄ２７を中心に回転するように構成してある。
【００２８】
図２においてモーター１３およびモーター１３の回転を伝達するギア群は駆動台２８に取り付けて有り、駆動台２８はシリンダー群をも支えている。駆動台２８は支持部２９により回動台３０に配置してある。なお、軸Ｂ２３は駆動台２８全体の回動のため回動台３０に固定してある。
【００２９】
また、第１伸縮部６はシリンダーＡ９に設けた螺旋状のガイドＡ３１に沿って突起Ａ３２が移動することにより回転するようになっている。第２伸縮部７はシリンダーＢ１０に設けた直線状のガイドＢ３３に沿って突起Ｂ３４が移動することにより直線移動するようになっている。第２伸縮部８はシリンダーＣ１１に設けた直線状のガイドＣ３５に沿って突起Ｂ３６が移動することにより直線移動するようになっている。
【００３０】
３７はガイドＡ３１の終端部Ａ、３８はガイドＢ３３の終端部Ｂ、３９はガイドＣ３５の終端部Ｃである。
【００３１】
また、モーター１３により回動するギアＤ１８と軸Ｂ２３と逃げ穴２５と回動台３０とで回動手段４０を構成している。
【００３２】
なお、図１及び図２は排泄物受け位置４に排泄物受け部１が配置している状態（伸縮部が伸びた状態）を表わしており、排泄物受け部１は上を向き、排泄物２（ここでは糞便を表わしているが、尿でも同じである。）を乗せた状態を示している。
【００３３】
次に動作，作用について図１，図２及び図３を参照して説明する。
【００３４】
図３は排泄物受け部１が縮んだ状態から伸びた状態に移動する様子を表わしている。図３のａは最も縮んだ状態で収納位置５に収納された状態を示す。また、この時排泄物受け部１は下を向いている。
【００３５】
この図３のａの収納位置５から排泄物受け部１が伸びていく動作について説明する。
【００３６】
モーター１３の回転により、モーター軸１４に設けたギアＡ１５が回転し、ギアＡ１５の回転がギアＢ１６に伝達され、ギアＢ１６と同軸に構成したギアＣ１７の回転がギアＤ１８に伝達される。ギアＤ１８の回転はギアＥ１９に伝達され、ギアＥ１９と同軸のギアＦ２０の回転によりラック２１により線上の動きに変換される。ラック２１は排泄物受け支持部１２に接続してあるので、排泄物受け支持部１２が収納位置５からｂの位置に突出してくる。
【００３７】
ここでは排泄物受け部１の突出は回転せずに伸びていくもので、シリンダーＡ９とシリンダーＢ１０は動かずに、シリンダーＣ１１と排泄物受け支持部１２が同時に出てくる。シリンダーＣ１１のガイドＣ３５には摩擦部材を設けることによりシリンダーＢ１０よりも移動しにくくして第２伸縮部７の動作順序を規定してある。
【００３８】
その後、シリンダーＢの終端部Ｂ３８（図２参照、以下細かい部分は図１又は２参照）に突起Ｂ３４が達するとシリンダーＣ１１の動きが規制される。
【００３９】
次に、図３のｃに示すように、シリンダーＢ１０が移動する。この時、シリンダーＡ９には回転用のガイドＡ３１が設けて有り、突起Ａ３２がガイドＡ３１に沿ってシリンダーＢ１０以下シリンダーＣ１１及び排泄物受け部１が回転しながら突出し、終端部Ａ３７に突起Ａ３２が当たることによりシリンダーＢ１０の突出が終わる。このとき、排泄物受け部１は上向きになる。
【００４０】
さらに、図３のｄに示すようにシリンダーＣ１１に収納してあった排泄物受け支持部１２が突起３６によりガイドＣ３５に沿って伸びてくる。
【００４１】
この状態の時に回動台３０に設けてある軸Ｃ２６に規制されて、ギアＤ１８に設けてある回動ガイド２４により排泄物受け部１及び駆動手段３全体が軸Ｃ２６を中心にして回動する。図３のｄに示すように反時計周りに回動するようにしてある。
【００４２】
図３のｅも同様に排泄物受け支持部１２が摺動し、最終的には図３のｆに示す排泄物受け位置４に排泄物受け部１が位置するようになる。
【００４３】
以上のようにして収納状態から排泄物受け部１を排泄物受け位置４のところまで突出させることにより、排泄物２の検査等の場合に排泄物２を受けるようにすることができる。そして、使用が終われば、上記の逆の操作により収納するようにしてある。
【００４４】
ここで、収納する時には排泄物受け部１が回転して排泄物が落下するようにしてある。このように回転させることにより、重力を利用して収納前に排泄物を除去することが出来る。
【００４５】
また、回転しても排泄物２が排泄物受け部１に付着して排泄物２が落下しにくい場合が考えられる。そこで、第２伸縮部により排泄物受け部１を前後に振動させて排泄物２を落下させるようにすれば、振動の力をも利用して落下させることができる。
【００４６】
そして、排泄物２を排泄物受け部１から落下させるには回動手段４０により排泄物受け部１を振動させて排泄物２を落下させるようにすれば、振動の力をも利用して落下させることができる。
【００４７】
（実施例２）
図４は本発明の一実施例の構成を示す概略図である。４１は洗浄手段で、排泄物受け部１に向けて洗浄するように構成してある。他は実施例１と同様である。
【００４８】
動作について説明すると、駆動手段３により収納するように第１伸縮手段６、第２伸縮手段７，８が縮んで行くことにより排泄物受け部１が回転して下向きになり、排泄物２が落下する。この時、洗浄手段４１により洗浄水を排泄物受け部１に噴射するとともに、第２伸縮部７，８または／及び回動手段４０により前後または左右に動かすことにより振動を与える。このようにすることにより排泄物を洗い流すことができる。
【００４９】
このような装置を温水洗浄便座に装着した場合には洗浄水が斜め下方から上方に向かって噴射するようになっているので、この洗浄水の噴射を利用することができる。
【００５０】
以上により、第２伸縮部７，８による振動または回動手段４０による振動の時に、排泄物２を落下させるとともに洗浄することにより確実な排泄物除去が可能となる。
【００５１】
【発明の効果】
以上のように本発明によれば排泄物受け部を排泄物受け位置から収納位置に移動する際に下向きに回転させ排泄物を廃棄するようにしているから、収納前に排泄物受け部が下向きになって排泄物が落下して廃棄処理が確実にでき、例えば温水洗浄便座に装着した場合、温水洗浄便座の設置してある便器へ直接、確実に廃棄でき、かつ収納位置を衛生的にすることが可能になる。
【００５２】
また、排泄物受け部を排泄物受け位置から収納位置に移動する際に前記排泄物受け部に振動を与えるとともに、下向きに回転させ排泄物を廃棄するようにしているから、収納前に排泄物受け部が振動を受けて排泄物が落下しやすくなり、かつ下向きになって排泄物が落下して容易に廃棄処理ができ、例えば温水洗浄便座に装着した場合、温水洗浄便座の設置してある便器に直接、容易で確実に廃棄でき、かつ収納位置を衛生的にすることが可能になる。
【００５３】
また、駆動手段は、伸縮しながら排泄物受け部を回転させる第１伸縮部と、伸縮しながら排泄物受け部を回転させない第２伸縮部とを有し、前記第２伸縮部により前記排泄物受け部を振動させて排泄物を落下させるようにしているから、排泄物受け部に付着しているものでも振動により落下しやすく出来る。
【００５４】
また、駆動手段は、排泄物受け部と駆動手段の全体を回動させる回動手段を有し、前記回動手段により排泄物受け部を振動させて排泄物を落下させるようにしているから、振動の力を利用して排泄物受け部の排泄物を、より落下し易くできる。
【００５５】
また、排泄物を受ける排泄物受け部と、前記排泄物受け部を排泄物受け位置と収納位置に移動させる駆動手段とを備え、前記駆動手段は排泄物受け部を排泄物受け位置から収納位置に移動する際に前記排泄物受け部を振動させ排泄物を廃棄するようにしているから、振動の力を利用して排泄物を落下させることができる。
【００５６】
さらに、排泄物受け部を洗浄する洗浄手段を有しているから、排泄物受け部を下向きに回転させて、または排泄物受け部を振動させてそれぞれ排泄物を落下させる時に洗浄手段により排泄物受け部から排泄物を除去することができる。そして、振動により洗浄水が当たる面積が増えるために排泄物受け部を広く洗うことができる。
【図面の簡単な説明】
【図１】  本発明の実施例１における排泄物受け装置の上面断面図
【図２】  同装置の実施例１における排泄物受け装置の側面断面図
【図３】  同装置の実施例１における排泄物受け装置の動作を示す図
【図４】  同装置の実施例２における排泄物受け装置の側面図
【図５】  従来の尿検査装置の概略図
【符号の説明】
１  排泄物受け部
３  駆動手段
４  排泄物受け位置
５  収納位置
６  第１伸縮部
７  第２伸縮部
４０  回動手段
４１  洗浄手段
【図１】
0003724155.tif 000002
【図２】
0003724155.tif 000003
【図３】
0003724155.tif 000004
【図４】
0003724155.tif 000005
【図５】
0003724155.tif 000006